(57)【要約】【課題】湾曲なリム部上面に安定して載置可能な入浴介助装置を提供する。【解決手段】第一の方向のリム部上面が中央側よりも両端側の方が高く形成された浴槽に対して、前記入浴介助装置を水平に載置することを可能にするように、一対の前記サイドフレーム部の下方に、一端側と他端側の高さが異なる着脱自在なスペーサーを設けた。【選択図】図１
2019146668.tif 000002
【特許請求の範囲】
【請求項１】
長辺と短辺とをもつリム部を有する浴槽に設置される入浴介助装置であって、
前記入浴介助装置は、
前記長辺に沿った第一の方向のリム部上面に載置される一対のサイドフレーム部と、一対の前記サイドフレーム部を連結するメインフレーム部と、を有するフレーム本体と、
浴槽内の上方位置と下方位置との間を昇降可能であり、前記フレーム本体に支持される着座台と、
前記着座台を昇降させる昇降装置と、
を備え、
前記第一の方向のリム部上面が中央側よりも両端側の方が高く形成された浴槽に対して、前記入浴介助装置を水平に載置することを可能にするように、一対の前記サイドフレーム部の下方に、一端側と他端側の高さが異なる着脱自在なスペーサーを設けたことを特徴とする入浴介助装置。
【請求項２】
一対の前記サイドフレーム部のそれぞれの下方には、前記第一の方向の浴槽内壁に当接することで当該入浴介助装置を浴槽に対して突っ張り固定可能にする一対の当接部が設けられ、
前記当接部は、前記サイドフレーム部に対して第１下方位置に配置される第１状態と、前記サイドフレーム部に対して前記第１下方位置より下方の第２下方位置に配置される第２状態とに切り替え可能であることを特徴とする請求項１記載の入浴介助装置。
【請求項３】
前記当接部は、
前記第１下方位置に配置される場合、前記サイドフレーム部に設けられ、
前記第２下方位置に配置される場合、前記スペーサーに設けられることを特徴とする請求項２記載の入浴介助装置。
【請求項４】
前記スペーサーは、前記第２下方位置に配置された前記当接部が前記第一の方向の浴槽内壁に当接することで前記サイドフレーム部に固定されることを特徴とする請求項３記載の入浴介助装置。
【請求項５】
前記スペーサーは、前記第１下方位置に配置された前記当接部の外側に嵌め込むことが可能なように窪み部が形成されていることを特徴とする請求項３または４に記載の入浴介助装置。
【請求項６】
前記第一の方向のリム部上面と接する前記スペーサーの底面には、軟質部材によって形成された滑り止め部が設けられることを特徴とする請求項１〜５のいずれか１つに記載の入浴介助装置。
【請求項７】
前記軟質部材の上方には、前記軟質部材よりも肉厚な硬質部材が設けられていることを特徴とする請求項６記載の入浴介助装置。
【発明の詳細な説明】
【技術分野】
【０００１】
本発明は、入浴介助装置に関する。
【背景技術】
【０００２】
従来から、老人や身体障碍者などの一人で入浴することが困難であり、入浴に際して介助者を必要とする被介助者の入浴を支援する福祉機器として入浴介助装置が知られている（特許文献１）。
【０００３】
被介助者の方々は、洗い場で座椅子に腰を掛けた後、お尻を横にずらしながら、昇降する入浴介助装置の着座部に移乗することによって、浴槽の縁を跨ぐことなく楽に入浴を行うことができる。また、介助者の方々は、被介助者を抱え上げて浴槽に入れるような力仕事を行う必要がなくなるため、楽に被介助者の入浴の支援を行うことができる。
【先行技術文献】
【特許文献】
【０００４】
【特許文献１】特開２００６−１０２２７７号公報
【特許文献２】特開２０１３−２４８０８０号公報
【発明の概要】
【発明が解決しようとする課題】
【０００５】
入浴介助装置は、左右両側に設けられたサイドフレーム部を浴槽のリム部に合致するように間隔調整を行いながら載置し、サイドフレーム部の下方に設けられた当接部を、浴室の洗い場側と浴室の壁側の浴槽内壁に対して当接させ突っ張り固定することで十分な固定力を確保し、入浴介助装置が浴槽に対して位置ズレすることがないように設置される。
【０００６】
しかしながら、近年、浴槽に使用する水の節水化や、浴槽に対するデザインの追求や、入浴時の姿勢が身体に与える影響などへの関心が高まるに従って、入浴介助装置を設けることができない形状を有する浴槽が多数販売されるようになってきている。
【０００７】
例えば、特許文献２に記載の浴槽は、従来、平坦な面で形成されていたリム部上面を、湾曲な凹状の面で形成することによって丸みを帯びた柔らかなデザインを追求している。このような浴槽に対して入浴介助装置を設けると、サイドフレーム部が浴槽のリム部に対して水平に取り付けられず、傾いた状態で載置されてしまい不安定であるため危険である。
【０００８】
入浴介助装置のような福祉機器は、レンタル会社によって様々な現場に貸し出され使用されるため、特定の形状に対してだけでなく、様々な形状の浴槽に対応可能である必要があるため、対応できない浴槽があるということは非常に大きな課題となる。
【０００９】
本発明は、湾曲なリム部上面に安定して載置可能な入浴介助装置を提供する。
【課題を解決するための手段】
【００１０】
第１の発明の入浴介助装置は、長辺と短辺とをもつリム部を有する浴槽に設置される入浴介助装置であって、前記入浴介助装置は、前記長辺に沿った第一の方向のリム部上面に載置される一対のサイドフレーム部と、一対の前記サイドフレーム部を連結するメインフレーム部と、を有するフレーム本体と、浴槽内の上方位置と下方位置との間を昇降可能であり、前記フレーム本体に支持される着座台と、前記着座台を昇降させる昇降装置と、を備え、前記第一の方向のリム部上面が中央側よりも両端側の方が高く形成された浴槽に対して、前記入浴介助装置を水平に載置することを可能にするように、一対の前記サイドフレーム部の下方に、一端側と他端側の高さが異なる着脱自在なスペーサーを設けたことを特徴とする。  
第１の発明によれば、リム部上面が非水平状の形状を有していようとも、入浴介助装置をリム部上面に対して水平状に載置することができる。着座台に着座した被介助者の姿勢を安定させることができる。  
第２の発明は、第１の発明において、一対の前記サイドフレーム部のそれぞれの下方には、前記第一の方向の浴槽内壁に当接することで当該入浴介助装置を浴槽に対して突っ張り固定可能にする一対の当接部が設けられ、前記当接部は、前記サイドフレーム部に対して第１下方位置に配置される第１状態と、前記サイドフレーム部に対して前記第１下方位置より下方の第２下方位置に配置される第２状態とに切り替え可能であることを特徴とする。  
第２の発明によれば、サイドフレーム部に対して当接部が配置される高さ方向の位置を変更可能な構成としている。これによって、リム部上面が水平で、スペーサーを設けない場合には、当接部の下端を第１下方位置に配置することで、浴槽内壁の傾斜が大きくても、リム部上面に載置されるサイドフレーム部の面積を大きくでき、安定的に載置させることができる。  
一方、浴槽の長辺側のリム部上面が中央側よりも両端側の方が高く形成され、スペーサーを設けた場合において、当接部の下端を第１下方位置よりも下方の第２下方位置に配置することで、当接部を浴槽内壁に当接させることが可能となり、強固に突っ張り固定させることができる。  
第３の発明は、第２の発明において、前記当接部は、前記第１下方位置に配置される場合、前記サイドフレーム部に設けられ、前記第２下方位置に配置される場合、前記スペーサーに設けられることを特徴とする。  
第３の発明によれば、サイドフレーム部内に当接部の長さ調節に必要な高さ空間を設ける必要がないため、サイドフレーム部の高さが大きくなるのを抑えることができる。これによって、着座台からの立ち座り性を向上させることができる。  
第４の発明は、第３の発明において、前記スペーサーは、前記第２下方位置に配置された前記当接部が前記第一の方向の浴槽内壁に当接することで前記サイドフレーム部に固定されることを特徴とする。  
第４の発明によれば、スペーサーに設けられた当接部が浴槽に当接する際の力の反力を利用して、スペーサーをサイドフレーム部に固定しているため、ネジなどの固定手段を必要としない。  
第５の発明は、第３または第４の発明において、前記スペーサーは、前記第１下方位置に配置された前記当接部の外側に嵌め込むことが可能なように窪み部が形成されていることを特徴とする。  
第５の発明によれば、第１下方位置にある当接部をサイドフレーム部からいちいち外さずに、スペーサーをサイドフレーム部に取り付けることができる。  
第６の発明は、第１〜第５の発明のいずれか１つにおいて、前記第一の方向のリム部上面と接する前記スペーサーの底面には、軟質部材によって形成された滑り止め部が設けられることを特徴とする。  
第６の発明によれば、スペーサーの底面に設けた軟質部材は滑り止めを担うとともに、着座台に着座した被介助者の重みで軟質部材がリム部上面の形状に追従するように変形して、リム部上面に密着する。  
第７の発明は、第６の発明において、前記軟質部材の上方には、前記軟質部材よりも肉厚な硬質部材が設けられていることを特徴とする。  
第７の発明によれば、軟質部材の上方には、軟質部材よりも肉厚な硬質部材が設けられているため、スペーサーの強度を高めることができ、荷重により変形してしまうことを防ぐことができる。
【発明の効果】
【００１１】
本発明の入浴介助装置によれば、様々な形状の浴槽に対応できる。
【図面の簡単な説明】
【００１２】
【図１】本発明の実施形態に係る入浴介助装置の斜視図である。
【図２】スペーサーと当接部材とを分離した状態の図１と同様の斜視図である。
【図３】（ａ）は同入浴介助装置におけるフレーム本体および昇降装置の斜視図であり、（ｂ）は同フレーム本体および昇降装置の上面図である。
【図４】同入浴介助装置における調節機構の斜視図である。
【図５】同入浴介助装置におけるサイドフレーム部に当接部材およびスペーサーが取り付けられた状態の斜視図である。
【図６】同入浴介助装置におけるサイドフレーム部に当接部材およびスペーサーが取り付けられた状態の正面側から見た断面図である。
【図７】同入浴介助装置におけるサイドフレーム部に当接部材およびスペーサーが取り付けられた状態の側面図である。
【図８】同入浴介助装置における着座台が浴槽内の上方位置にある状態の模式図である。
【図９】同入浴介助装置における着座台が浴槽内の下方位置にある状態の模式図である。
【図１０】（ａ）は同入浴介助装置のサイドフレーム部がスペーサーを介してリム部の上面に載置された状態の模式図であり、（ｂ）は（ａ）の状態に当接部を加えた模式図である。
【図１１】（ａ）及び（ｂ）は、参考例の入浴介助装置の浴槽に対する設置形態を説明する模式図である。
【図１２】（ａ）及び（ｂ）は、参考例の入浴介助装置の浴槽に対する設置形態を説明する模式図である。
【発明を実施するための形態】
【００１３】
以下、添付図面を参照しながら本発明の実施の形態について説明する。説明の理解を容易にするため、各図面において同一の構成要素に対しては可能な限り同一の符号を付して、重複する説明は省略する。
【００１４】
図１は、本発明の実施形態に係る入浴介助装置１の斜視図である。  
図２は、スペーサー３４と当接部材３０とを分離した状態の図１と同様の斜視図である。
【００１５】
入浴介助装置１は浴槽に設置される。その浴槽のリム部は１対の長辺と１対の短辺とを有し、平面視において矩形の輪郭をもつ。入浴介助装置１は、浴槽の一対の長辺側のリム部の上面に載置される。
【００１６】
本明細書において、長辺側のリム部の延在方向を第一の方向または長手方向とし、短辺側のリム部の延在方向を第二の方向または短手方向とする。
【００１７】
入浴介助装置１は、着座台５０とフレーム本体２０とを有する。
【００１８】
図３（ａ）はフレーム本体２０の斜視図であり、図３（ｂ）はフレーム本体２０の上面図である。
【００１９】
フレーム本体２０は、一対のサイドフレーム部２１と、それら一対のサイドフレーム部２１を連結するメインフレーム部２２とを有する。
【００２０】
メインフレーム部２２は、第１フレーム部２２ａと、第２フレーム部２２ｂと、第３フレーム部２２ｃとを有する。第１フレーム部２２ａと第２フレーム部２２ｂは、第３フレーム部２２ｃに対して、メインフレーム部２２の延在方向にスライド移動自在となっている。第３フレーム部２２ｃに対する第１フレーム部２２ａと第２フレーム部２２ｂのスライド移動により、メインフレーム部２２の長さが調節される。
【００２１】
一対のサイドフレーム部２１のうちの一方のサイドフレーム部２１は第１フレーム部２２ａに連結され、他方のサイドフレーム部２１は第２フレーム部２２ｂに連結されている。したがって、第３フレーム部２２ｃに対する第１フレーム部２２ａと第２フレーム部２２ｂのスライド移動により、メインフレーム部２２の長さが調節されると、一対のサイドフレーム部２１の間の距離が調節される。
【００２２】
図１に示すように、サイドフレーム部２１にはアームカバー８１が取り付けられ、メインフレーム部２２にはインナーカバー８２が取り付けられる。インナーカバー８２の前面には背当てクッション８３が設けられる。
【００２３】
入浴介助装置１が浴槽に設置された状態で、一対のサイドフレーム部２１は長辺側のリム部の上面に載置され、メインフレーム部２２は短辺側のリム部に沿って短手方向に延び、一対のサイドフレーム部２１を連結している。
【００２４】
着座台５０は、図３（ａ）に示す取付部４４によってフレーム本体２０に支持される。入浴介助装置１は、着座台５０を昇降させる昇降装置４０を有する。
【００２５】
昇降装置４０は、モータ４１と、ワインダ（またはドラム）４２と、複数のプーリ６１、６２、６３と、ワイヤ（またはケーブル）４３とを有する。
【００２６】
例えば、モータ４１と、ワインダ４２と、プーリ（テンションプーリ）６１はメインフレーム部２２に設けられている。プーリ（アームプーリ）６２と、プーリ（アウトプーリ）６３はサイドフレーム部２１に設けられている。
【００２７】
ワイヤ４３は、ワインダ４２に巻回されるとともに、プーリ６１、６２、６３に通されている。ワインダ４２は、モータ４１によって回転駆動される。
【００２８】
着座台５０は、図１、図８に示すシートフレーム５３上に支持されている。シートフレーム５３は、上側フレーム５４と下側フレーム５５（図８に図示）とを有し、上側フレーム５４と下側フレーム５５とは短手方向に互いにスライド移動可能となっている。
【００２９】
前述したワイヤ４３は、シートフレーム５３に設けられたワイヤフック５７に係合される。ワインダ４２によるワイヤ４３の巻き取り／送り出し制御によって、着座台５０はシートフレーム５３ごと昇降される。
【００３０】
図１に示すように、着座台５０の一端部には、ヒンジ部５２を介して、フラッププレート５１が取り付けられている。フラッププレート５１は、ヒンジ部５２を支点にして、水平状態から上方に傾倒することができる。
【００３１】
入浴介助装置１は、さらに調節機構を有する。調節機構は、メインフレーム部２２の長さを、浴槽の短辺側のリム部の長さ（一対の長辺側のリム部間の距離）に合わせて調節可能である。
【００３２】
図４は、調節機構７０の斜視図である。
【００３３】
調節機構７０は、幅調整ねじ７１と、一対の送りねじ７２とを有する。幅調整ねじ７１の両端部７１ａには雄ねじが形成されている。送りねじ７２はパイプ状に形成され、その内周に雌ねじが形成されている。幅調整ねじ７１の両端部７１ａの雄ねじに、それぞれ、送りねじ７２が結合している。
【００３４】
幅調整ねじ７１は、図３（ｂ）に示すように、その軸方向がメインフレーム部２２の延在方向に沿うように、メインフレーム部２２に支持される。一対の送りねじ７２の一方の送りねじ７２はメインフレーム部２２の第１フレーム部２２ａに連結され、他方の送りねじ７２は第２フレーム部２２ｂに連結されている。
【００３５】
サイドフレーム部２１の側方の外部から、例えば人がドライバーなどの工具を使って幅調整ねじ７１を回転させることで、サイドフレーム部２１が送りねじ７２とともに幅調整ねじ７１の軸方向に沿って移動する。これにより、メインフレーム部２２の第１フレーム部２２ａまたは第２フレーム部２２ｂが第３フレーム部２２ｃに対してスライド移動し、一対のサイドフレーム部２１の間の距離を調節することができる。
【００３６】
サイドフレーム部２１に対して、図１、図２に示す当接部材３０が着脱可能になっている。さらに、サイドフレーム部２１に対して、当接部材３０およびスペーサー３４の両方が着脱可能になっている。
【００３７】
図５は、サイドフレーム部２１に当接部材３０およびスペーサー３４が取り付けられた状態の斜視図である。  
図６は、サイドフレーム部２１に当接部材３０およびスペーサー３４が取り付けられた状態の正面側から見た断面図である。  
図７は、サイドフレーム部２１に当接部材３０およびスペーサー３４が取り付けられた状態の側面図である。
【００３８】
図２、図５に示すように、当接部材３０は、取付部３１と、取付部３１の下方に垂下した当接部３２とを有する。取付部３１を、サイドフレーム部２１に形成された窪み部に差し込むことで、当接部材３０がサイドフレーム部２１に取り付けられる。この状態で、当接部３２はサイドフレーム部２１の下方に垂下する。
【００３９】
スペーサー３４は、一対のサイドフレーム部２１の下方に着脱自在に設けられる。長手方向に沿ったリム部上面が中央側よりも両端側の方が高く形成された浴槽に対して、入浴介助装置１を水平に載置することを可能にするように、スペーサー３４の一端側と他端側の高さが異なる。
【００４０】
リム部上面と接するスペーサー３４の底面には、軟質部材３８によって形成された滑り止め部が設けられる。その軟質部材３８上方には、軟質部材３８よりも肉厚な硬質部材３９が設けられている。
【００４１】
また、スペーサー３４にも当接部３５が設けられている。当接部３５は、軟質部材３８が設けられたスペーサー３４の底面よりも下方に垂下している。当接部３５は、硬質部材３６と軟質部材３７とを有する。
【００４２】
当接部材３０の当接部３２、またはスペーサー３４の当接部３５は、一対のサイドフレーム部２１のそれぞれの下方に設けられ、長手方向に沿った浴槽内壁に当接することで入浴介助装置１を浴槽に対して突っ張り固定可能にする。
【００４３】
前述した調節機構７０により一対のサイドフレーム部２１の間の距離を適切に調節して、一対のサイドフレーム部２１をそれぞれ一対の長辺側のリム部の上面に載置し、且つ、一対の当接部３２または当接部３５の側面を、長手方向に沿った浴槽内壁に当接させる。これにより、入浴介助装置１は、浴槽に対して突っ張り固定される。
【００４４】
調節機構７０は、短手方向からメインフレーム部２２に働いた外力によって、メインフレーム部２２の長さ（一対のサイドフレーム部２１の間の距離）が変わらないように、メインフレーム部２２の長さ（一対のサイドフレーム部２１の間の距離）を維持するロック手段を兼ねている。すなわち、図４に示す幅調整ねじ７１と送りねじ７２との結合がロック手段を構成する。
【００４５】
メインフレーム部２２に対して短手方向から外力が働くと、メインフレーム部２２の長さ、すなわち一対のサイドフレーム部２１の間の距離が変動し得る。すると、当接部３２または当接部３５によって突っ張り固定をしていたとしても、浴槽に対する入浴介助装置１の位置がズレてしまうため使用者に不安を与えてしまうという課題がある。
【００４６】
これに対して、実施形態によれば、例えば幅調整ねじ７１と送りねじ７２との結合によりメインフレーム部２２の長さの変動がロックされ、一対のサイドフレーム部２１の間の距離が変わることがないため、当接部３２または当接部３５による突っ張り固定を解除してしまうおそれがない。
【００４７】
また、実施形態によれば、調節機構７０は、リミッタ機構７４（図３（ｂ）に図示）を有する。前述した外部から幅調整ねじ７１を回転させる力はリミッタ機構７４を介して幅調整ねじ７１に伝達する。そして、リミッタ機構７４は、メインフレーム部２２の長さ（一対のサイドフレーム部２１の間の距離）を調節する際に、当接部３２または当接部３５が長手方向に沿う浴槽内壁に当接することによって幅調整ねじ７１が受ける反力が所定以上の大きさとなった場合、一対のサイドフレーム部２１の間の距離をそれ以上広げることができないように規制する。すなわち、リミッタ機構７４は、上記幅調整ねじ７１が受ける反力が所定以上の大きさとなった場合に空転して、幅調整ねじ７１を回転させようとする外力を幅調整ねじ７１に伝えない。
【００４８】
突っ張り固定により強固な固定力で入浴介助装置１を浴槽に設置する必要がある一方で、当接部３２または当接部３５が強すぎる力で浴槽内壁に当接すると、浴槽内壁を傷つけてしまうという課題がある。これに対して、調節機構７０にリミッタ機構７４を設けることで、浴槽内壁を傷つけることを防止しつつ、最適な突っ張り固定力で入浴介助装置１を浴槽に設置することができる。
【００４９】
図８は、入浴介助装置１における着座台５０が浴槽１００内の上方位置にある状態の模式図である。  
図９は、着座台５０が浴槽１００内の下方位置にある状態の模式図である。
【００５０】
また、図８および図９は、サイドフレーム部２１に当接部材３０を取り付け、スペーサー３４は取り付けていない例を表す。したがって、当接部材３０の当接部３２が、長手方向に沿った浴槽内壁に当接することで、入浴介助装置１を浴槽に対して突っ張り固定している。一対のサイドフレーム部２１は、一対の長辺側のリム部１０２の上面に載置されている。
【００５１】
着座台５０は、前述した昇降装置４０によって、浴槽１００内の上方位置と下方位置との間を昇降可能である。下方位置にある着座台５０に着座した被介助者は体を浴槽１００内のお湯に浸けることができる。
【００５２】
着座台５０は、シートフレーム５３ごと、ワイヤ４３によってフレーム本体２０から吊り下げられた状態で昇降する。このとき、ガイドローラ５６が浴槽内壁に接触しつつ転がり、着座台５０の昇降を安定してガイドする。
【００５３】
サイドフレーム部２１が載置される長辺側のリム部１０２の上面が水平の形状を有している場合、図８、９に示すように、サイドフレーム部２１の下方にスペーサー３４を設けなくても、入浴介助装置１を水平に設置することができる。
【００５４】
すなわち、着座台５０が前方または後方に向かって傾斜せずに水平であり、着座台５０に腰掛けた被介助者が前のめりになったり、後方に傾倒するようなことがない。スペーサー３４を設けない場合は、当接部材３０の当接部３２が浴槽内壁に当接することで、入浴介助装置１は浴槽に対して突っ張り固定される。
【００５５】
図１０（ａ）は、サイドフレーム部２１がスペーサー３４を介して長辺側のリム部１０２の上面に載置された状態の模式図である。  
図１０（ｂ）は、図１０（ａ）の状態にさらに当接部３２、３５を加えた模式図である。
【００５６】
この例のように、長辺側のリム部１０２の上面が長手方向における中央側よりも両端側の方が高く形成された形状を有している場合には、リム部１０２上面の中央側で高さが高く、両端側で高さが低いスペーサー３４をサイドフレーム部２１の下方に設ける。
【００５７】
これによって、リム部１０２上面が非水平状の形状を有していようとも、入浴介助装置１をリム部１０２上面に対して水平状に載置することができる。
【００５８】
このとき、スペーサー３４に設けられた当接部３５が浴槽内壁に当接することで、入浴介助装置１は浴槽に対して突っ張り固定される。図５に示す当接部３５の軟質部材３７が浴槽内壁に当接することで、浴槽内壁を傷つけない。
【００５９】
前述したように、サイドフレーム部２１に当接部材３０を取り付けた上に、さらにスペーサー３４を取り付けるか否かの選択により、浴槽内壁に当接する当接部の下端が、サイドフレーム部２１に対して第１下方位置に配置される第１状態と、サイドフレーム部２１に対して第１下方位置より下方の第２下方位置に配置される第２状態とに切り替え可能である。
【００６０】
第１状態においては、図８、９に示すように、当接部材３０の当接部３２の下端が、サイドフレーム部２１に対して第１下方位置に配置され、その当接部３２が浴槽内壁に当接する。
【００６１】
第２状態においては、図１０（ｂ）に示すように、スペーサー３４に設けた当接部３５の下端が、第１下方位置（当接部材３０の当接部３２の下端位置）より下方の第２下方位置に配置され、そのスペーサー３４の当接部３５が浴槽内壁に当接する。
【００６２】
サイドフレーム部２１の下方にスペーサー３４を設けた場合、スペーサー３４を設けない場合よりも入浴介助装置１が上方に設置される。このとき、図１１（ａ）に示すように、サイドフレーム部２１の下方に設けられた当接部３２の位置も上方に上がってしまうことにより、当接部３２を浴槽内壁に当接させ突っ張り固定できなくなるため、浴槽に対して十分な固定力で入浴介助装置を固定できないという新たな課題を生じた。
【００６３】
この課題を解決するために、図１２（ａ）及び（ｂ）に示すように、長い当接部３２を設けると、当接部３２が当接する浴槽内壁の傾斜が大きい場合に、そのリム部１０２上面にサイドフレーム部２１が載置する面積が小さくなるため、不安定な載置になってしまうという課題がある。
【００６４】
実施形態によれば、前述したように、サイドフレーム部２１に対して当接部が配置される高さ方向の位置を変更可能な構成としている。
【００６５】
これによって、リム部上面が水平で、スペーサー３４を設けない場合には、当接部材３０の当接部３２の下端を第１下方位置に配置することで（当接部３２の下端位置が下方になりすぎないようにすることで）、浴槽内壁の傾斜が大きくても、リム部上面に載置されるサイドフレーム部２１の面積を大きくでき、安定的に載置させることができる。
【００６６】
一方、浴槽の長辺側のリム部上面が中央側よりも両端側の方が高く形成され、スペーサー３４を設けた場合において、スペーサー３４の高さ分、サイドフレーム部２１の位置が上方に上がってしまっても、スペーサー３４に設けた当接部３５の下端を第１下方位置よりも下方の第２下方位置に配置することで、当接部３５を浴槽内壁に当接させることが可能となり、強固に突っ張り固定させることができる。
【００６７】
第１状態では、サイドフレーム部２１に設けられた当接部３２が第１下方位置をとって浴槽側壁に当接し、入浴介助装置１を浴槽内壁に突っ張り固定させる。第２状態では、スペーサー３４に設けられた当接部３５が第１下方位置より下方の第２下方位置をとって浴槽側壁に当接し、入浴介助装置１を浴槽内壁に突っ張り固定させる。
【００６８】
ここで、サイドフレーム部２１のみに設けられた当接部３２によって第１下方位置と第２下方位置とを変更可能にすると、サイドフレーム部２１内に、当接部３２の長さ調節に必要な高さ空間（図１１（ｂ）において破線で表す）を設ける必要があり、サイドフレーム部２１の高さが大きくなる。すると、被介助者が座る着座台５０の高さが上がってしまうことにより、着座台５０に対して立ち座りがし難くなってしまうという課題が生じる。
【００６９】
実施形態によれば、サイドフレーム部２１に設けた当接部３２自体で当接部下端位置を調整するのではなく、スペーサー３４に設けた当接部３５によって当接部３２とは異なる下端位置をとらせることでができる。サイドフレーム部２１内に当接部３２の長さ調節に必要な高さ空間を設ける必要がないため、サイドフレーム部２１の高さが大きくなるのを抑えることができる。これによって、着座台５０からの立ち座り性を向上させることができる。
【００７０】
スペーサー３４を設ける必要がある浴槽に対して、ネジなどの固定手段を用いていちいちスペーサー３４を取り付けることは手間となり得る。
【００７１】
実施形態によれば、スペーサー３４は、第２下方位置に配置された当接部３５が長手方向に沿った浴槽内壁に当接することでサイドフレーム部２１に固定される。すなわち、スペーサー３４に設けられた当接部３５が浴槽に当接する際の力の反力を利用して、スペーサー３４をサイドフレーム部２１に固定しているため、ネジなどの固定手段を必要としない。
【００７２】
また、スペーサー３４を設ける必要がある浴槽に対して、第１下方位置に配置された当接部をいちいち取り外すことは手間であるし、当接部を無くしてしまいスペーサー３４を設ける必要がない浴槽に対して突っ張り固定を行えなくなってしまうリスクもある。
【００７３】
実施形態によれば、図５に示すように、スペーサー３４に窪み部３６ａが形成されている。その窪み部３６ａに、第１下方位置に配置された当接部３５を嵌め込むことができる。スペーサー３４は、当接部３２の外側に嵌め込まれる。このため、当接部３２をもつ当接部材３０をサイドフレーム部２１から外さずに、スペーサー３４をサイドフレーム部２１に取り付けることができる。
【００７４】
リム部上面と接するスペーサー３４の底面には軟質部材３８が設けられ、この軟質部材３８は滑り止めを担う。また、リム部上面の形状や曲率と、スペーサー３４の底面の形状や曲率とが完全に一致しなくても、着座台５０に着座した被介助者の重みで軟質部材３８がリム部上面の形状に追従するように変形して、リム部上面に密着する。これは、入浴介助装置の載置状態を安定させる。
【００７５】
スペーサー３４を軟質部材のみによって形成してしまうと、軟質部材は被介助者が着座したときの荷重により変形してしまうため、入浴介助装置１が浴槽に対して位置ずれを起こすおそれがある。
【００７６】
実施形態によれば、軟質部材３８の上方には、軟質部材３８よりも肉厚な硬質部材３９が設けられているため、強度を高めることができ、荷重により変形してしまうことを防ぐことができる。
【００７７】
以上、具体例を参照しつつ本発明の実施形態について説明した。しかし、本発明は、それらに限定されるものではなく、本発明の技術的思想に基づいて種々の変形が可能である。
【符号の説明】
【００７８】
１…入浴介助装置、２０…フレーム本体、２１…サイドフレーム部、２２…メインフレーム部、３０…当接部材、３２…当接部、３４…スペーサー、３５…当接部、３６…硬質部材、３６ａ…窪み部、３７…軟質部材、３８…軟質部材（滑り止め部）、３９…硬質部材、４０…昇降装置、５０…着座台
【図１】
2019146668.tif 000003
【図２】
2019146668.tif 000004
【図３】
2019146668.tif 000005
【図４】
2019146668.tif 000006
【図５】
2019146668.tif 000007
【図６】
2019146668.tif 000008
【図７】
2019146668.tif 000009
【図８】
2019146668.tif 000010
【図９】
2019146668.tif 000011
【図１０】
2019146668.tif 000012
【図１１】
2019146668.tif 000013
【図１２】
2019146668.tif 000014
【手続補正書】
【提出日】平成30年3月15日(2018.3.15)
【手続補正１】
【補正対象書類名】特許請求の範囲
【補正対象項目名】請求項１
【補正方法】変更
【補正の内容】
【請求項１】
長辺と短辺とをもつリム部を有する浴槽に設置される入浴介助装置であって、
前記入浴介助装置は、
前記長辺に沿った第一の方向のリム部上面に載置される一対のサイドフレーム部と、一対の前記サイドフレーム部を連結するメインフレーム部と、を有するフレーム本体と、
浴槽内の上方位置と下方位置との間を昇降可能であり、前記フレーム本体に支持される着座台と、
前記着座台を昇降させる昇降装置と、
を備え、
前記第一の方向のリム部上面が中央側よりも両端側の方が高く形成された浴槽に対して、前記入浴介助装置を水平に載置することを可能にするように、一対の前記サイドフレーム部の下方に、着脱自在なスペーサーを設けたことを特徴とする入浴介助装置。